(57)【要約】      （修正有）【課題】衣類のポケット口のポケット布に工夫を凝らすことで、ポケットに投入した収納物の落下を防止できるポケット口の閉止構造を提供する。【解決手段】内外２枚のポケット布ｐｉ，ｐｏの端縁部をポケット内方に折り返し、２枚の折り返された部分１６，１９をポケット口１の幅方向の途中の右側と左側とで反対方向の上側に向けてねじる。外側に位置するポケット布ｐｏの上側に向けてねじり起された部分１６１を、内側に位置するポケット布ｐｉの折り返された部分１９に重ね合わせ、その部分を縫合する。また、内側に位置するポケット布ｐｉの上側に向けてねじり起された部分１９１を、外側に位置するポケット布ｐｏの折り返された部分１６に重ね合わせ、その部分を縫合する。折り返された部分１６，１９と上側に向けてねじって起された部分１６１，１９１とでポケット口１が閉止され、ポケットＰに投入した収納物がポケット口１からの落下するのを防止することができる。【選択図】図８
0003186099.tif 000002
【実用新案登録請求の範囲】
【請求項１】
ポケット布端縁部をポケット内方に折り返すとともに、折り返された部分をポケット口の幅方向の途中でねじったことを特徴とするポケット口の閉止構造。
【請求項２】
ポケットが内外２枚のポケット布で形成されている場合において、内外２枚のポケット布端縁部をポケット内方に折り返すとともに、２枚の折り返された部分をポケット口の幅方向の途中の右側と左側とで反対方向にねじって、２枚の反対方向にねじられた部分でポケット口を閉止し得るようにしたことを特徴とする請求項１記載のポケット口の閉止構造。
【請求項３】
ねじって起された部分において、ポケット口の外側を幅方向に一定幅縫合してポケット口を小さくしたことを特徴とする請求項１又は２記載のポケット口の閉止構造。
【請求項４】
ポケット布の下側を内側に折り返して袋状とし、その下縁から一定高さ隔てた折り返し端縁を、衣類の表布に横方向に縫着したことを特徴とする請求項１又は２記載のポケット口の閉止構造。
【請求項５】
ポケット口から投入した収納物を受け止める受底部を有し、この受底部に通じる取出口を衣類の表布との間に設けたことを特徴とする請求項１〜３のいずれかに記載のポケット口の閉止構造。
【請求項６】
ポケット口が上向きではなく、横向きあるいは斜めを向いていることを特徴とする請求項１、２、３、５のいずれか１項に記載のポケット口の閉止構造。
【考案の詳細な説明】
【技術分野】
【０００１】
本考案は、携帯電話やスマートフォンを含む各種の収納物を収納することができるポケットのポケット口閉止構造に関するものである。
【背景技術】
【０００２】
近年、携帯電話やスマートフォンが広く普及し、外出する際には必ず持ち歩く習慣が身に付いている。この携帯電話やスマートフォンを含む各種の収納物を携行するに当って、通常、バッグを持っている場合にはその中に、また、上衣やシャツを着用している場合にはそのポケット内に収納している場合が多い。なお、これら以外の場合には、ズボンやスラックスを含む各種のボトムスのポケットに収納しているものと思われる。
【０００３】
上衣やシャツその他の衣類のポケットに前記収納物を収納した場合には、前かがみになるとポケット口から収納物が滑り落ちやすい。そこで、ポケット口にボタンやファスナーを取り付けてそれを防止するのが最も一般的である。
【０００４】
また、このような手法とは異なり、ポケット口の上部に袋状の布を左右両側に配置し、収納物を左右上部コーナー部分において押えるようにしたもの（例えば、特許文献１）や、衣類の表布の表面にポケット布を縫着し、そのポケット口内において前記ポケット布に略逆三角形状又は略四角形状の蓋布を縫合させたもの（例えば、特許文献２）などが提案されている。
【先行技術文献】
【特許文献】
【０００５】
【特許文献１】実願昭５６−１２２２２８号（実開昭５８−０２７３２０号）のマイクロフィルム(特に、実用新案登録請求の範囲、第３図)
【０００６】
【特許文献２】登録実用新案第３１７７３２７号公報（特に、請求項２、図２)
【考案の概要】
【考案が解決しようとする課題】
【０００７】
ここに例示した先行技術は、要するに、ポケット口付近に袋状の布や略逆三角形状又は略四角形状の蓋布を設け、ポケットに投入した収納物をポケット上部のコーナー部分において押えることにより、収納物がポケットから落下するのを防止するものである。
【０００８】
このような場合には、ポケット口付近において袋状の布や蓋布を縫合しなければならないので、それだけ手間を要するのみならず、材料費も多く掛かることになる。
【０００９】
本考案は、このような欠点を解消することを目的とするもので、ポケット口のポケット布に工夫を凝らすことによって、従来のような袋状の布や蓋布を必要とすることなく、ポケットに投入した収納物がポケットから落下するのを防止することができるようにしたものである。
【課題を解決するための手段】
【００１０】
本考案では、ポケット布端縁部をポケット内方に折り返すとともに、折り返された部分をポケット口の幅方向の途中でねじってある。
このようにした場合には、ポケット内方のねじられた部分が袋状になり、この袋状の部分でポケットに投入した収納物のコーナー部分を覆うことができるので、極めて簡単な構成で当該収納物がポケット口から落下するのを防止することができる。
【００１１】
ポケットが内外２枚のポケット布で形成されている場合において、内外２枚のポケット布端縁部をポケット内方に折り返すとともに、２枚の折り返された部分をポケット口の幅方向の途中の右側と左側とで反対方向にねじって、２枚の反対方向にねじられた部分でポケット口を閉止し得るようにするのが良い。
このようにした場合には、ポケット内方の２枚の反対方向にねじられた部分が左右とも袋状になり、左右２つの袋状の部分でポケットに投入した収納物の少なくとも一方のコーナー部分を覆うことができるので、ポケットに投入した収納物がポケット口から落下するのをより一層防止することができる。
【００１２】
ねじって起された部分において、ポケット口の外側を幅方向に一定幅縫合してポケット口を小さくしておくと良い。
このようにした場合には、ポケット口の外側を幅方向に一定幅縫合した分だけポケット口が小さくなり、袋状になっている部分でポケットに投入した収納物のコーナー部分を確実に覆うことができるので、当該収納物がポケット口から落下するのをさらに防止することができる。
【００１３】
ポケット布の下側を内側に折り返して袋状とし、その下縁から一定高さ隔てた折り返し端縁を、衣類の表布に横方向に縫着しておくと良い。
このようにした場合には、袋状になっているポケットの裾部分はふらし（縫合されていない状態）となっており、ポケットに投入した収納物の下部をふらしとなっている袋状部分に納めることができるので、当該収納物がポケット口から落下するのをより一層防止することができる。
【００１４】
ポケット口から投入した収納物を受け止める受底部を有し、この受底部に通じる取出口を衣類の表布との間に設けておくと良い。
このようにした場合には、ポケット口から投入した収納物を受底部で受け止めることができ、この受底部に通じる取出口から手指を差し込むことにより、受底部で受け止められている収納物を極めて簡単に取出口から取り出すことができる。
【００１５】
ポケット口が上向きではなく、横向きあるいは斜めを向いていても良い。ポケット口が上向きの場合において前かがみになると、ポケットに投入した収納物がポケット口から滑り落ちるという不安を抱く場合があるが、ポケット口が横向きあるいは斜めを向いている場合には、そのような不安が一切なく、安心してポケットに収納物を投入することができる。特に、ズボンやスラックスのようなボトムスのポケットに、あるいは、ジャケットやブルゾンのように斜めを向いているポケットにこの考案を適用すると、上記効果はより顕著である。
【考案の効果】
【００１６】
請求項１記載の考案によれば、ポケット内方のねじられた部分が袋状になり、この袋状の部分でポケットに投入した収納物のコーナー部分を覆うことができるので、極めて簡単な構成で当該収納物がポケット口から落下するのを防止することができる。
【００１７】
請求項２記載の考案によれば、ポケット内方の２枚の反対方向にねじられた部分が左右とも袋状になり、左右２つの袋状の部分でポケットに投入した収納物の少なくとも一方のコーナー部分を覆うことができるので、ポケットに投入した収納物がポケット口から落下するのをより一層防止することができる。
【００１８】
請求項３記載の考案によれば、ポケット口の外側を幅方向に一定幅縫合した分だけポケット口が小さくなり、袋状になっている部分でポケットに投入した収納物のコーナー部分を確実に覆うことができるので、当該収納物がポケット口から落下するのをさらに防止することができる。
【００１９】
請求項４記載の考案によれば、袋状になっているポケットの裾部分はふらし（縫合されていない状態）となっており、ポケットに投入した収納物の下部をふらしとなっている袋状部分に納めることができるので、当該収納物がポケット口から落下するのをより一層防止することができる。
【００２０】
請求項５記載の考案によれば、ポケット口から投入した収納物を受底部で受け止めることができ、この受底部に通じる取出口から手指を差し込むことにより、受底部で受け止められている収納物を極めて簡単に取出口から取り出すことができる。
【００２１】
請求項６記載の考案によれば、ポケット口が横向きあるいは斜めを向いているから、ポケットに投入した収納物がポケット口から滑り落ちるという不安が一切なく、安心してポケットに収納物を投入することができる。特に、ズボンやスラックスのようなボトムスのポケットに、あるいは、ジャケットやブルゾンのように斜めを向いているポケットにこの考案を適用すると、上記効果はより顕著である。
【図面の簡単な説明】
【００２２】
【図１】本考案によるポケット口の閉止構造を、ポケット口が上側にあるシャツに適用した一例を示す正面図で、合わせてその一部を拡大して示す。
【図２】図１のＡ−Ａ線に沿う断面図で、(a)はポケットに収納物が入っていない場合を、(b)は収納物が入っている場合を示す。
【図３】図１に示すポケットと底が異なり、ポケット口に相当するポケット布の上端縁部を一定高さポケット内方に折り返した点では図１に示すポケットと共通するポケットのポケット布のみを示す背面図で、(a)はポケット布の下側を内側に折り返して袋状とした状態を、(b)はポケット布上端縁部をポケット内方に折り返した状態を、(c)は上側の折り返した部分をポケット口の幅方向の途中でねじった状態を示す。
【図４】図３に示すポケット布を用い、その下縁から一定高さ隔てた折り返し端縁を、シャツの表布に横方向に縫着した形式のポケットの断面図で、(a)はポケットに収納物が入っていない場合を、(b)は収納物が入っている場合を示す。
【図５】図２、図４に示すポケットとはさらに異なり、ポケット口から投入した収納物を受け止める受底部を有し、この受底部に通じる取出口を衣類の表布との間に設けた形式のポケットの断面図である。
【図６】図１に示すポケット口の閉止構造とは異なる別のポケット口の閉止構造の一例を示す正面図で、(a)は外側に位置するポケット布を、(b)は内側に位置するポケット布をそれぞれ示し、(a)、(b)に示す内外２枚のポケット布の上端縁部をポケット内方に折り返すとともに、２枚の折り返された部分をポケット口の幅方向の途中の右側と左側とで反対方向にねじった状態を示す。
【図７】図６に示すポケット口の閉止構造の断面図である。
【図８】図１、図６に示すポケット口の閉止構造とはさらに異なる別のポケット口の閉止構造の一例を示す正面図で、(a)は外側に位置するポケット布を、(b)は内側に位置するポケット布をそれぞれ示し、(a)、(b)に示す内外２枚のポケット布の上端縁部をポケット内方に折り返すとともに、２枚の折り返された部分をポケット口の幅方向の途中の右側と左側とで反対方向にねじった状態を示す。
【図９】図８に示すポケット口の閉止構造の断面図で、収納物が入っている場合を示す。
【図１０】ポケット口が上向きではなく、横向きである場合のポケット口の閉止構造の一例を示す正面図である。
【考案を実施するための形態】
【００２３】
本考案によるポケット口の閉止構造をシャツに適用した場合を例に挙げて、本考案を詳細に説明する。図１には、本考案によるポケット口の閉止構造を有するシャツＳと、その一部が拡大して示されている。図１に示すポケットＰは、ポケット口１が上側にある最も一般的な形式のものである。
【００２４】
この形式のポケットＰにおいては、ポケット布ｐの左右の端縁部がいずれも同じ幅だけ内側に折り返されるとともに、ポケット口１に相当するポケット布ｐの上端縁部を一定高さ内側に折り返す。この折り返しの高さはポケット布ｐの左右の端縁部が折り返された幅よりも大きくしてある。そして、一定高さ内側に折り返した部分３をポケット口１の幅方向の途中で上側に向けてねじるとともに、ねじられた左右の端縁部分と前記左右の端縁部を内側に折り返した部分とポケット布ｐの下端縁部分とを、図１において符号２で示すようにシャツＳの表布ｓに縫合してある。なお、ねじられた点を、図１において符号ａで示す。
【００２５】
このようにすると、上側に向けてねじって起された部分３１でポケット口１を閉止することができるとともに、ポケット布ｐの上端縁部を内側に折り返した部分３で、ポケットＰに投入した収納物Ｂの片方（図１の右側）のコーナー部分を覆うことができるので、極めて簡単な構成で当該収納物Ｂがポケット口１から落下するのを防止することができる。
【００２６】
そして、図１において符号４で示すように、上側に向けてねじって起こされた部分３１を、ポケット口１の幅方向に一定幅だけシャツＳの表布ｓに縫合する。
このようにした場合には、シャツＳの表布ｓに縫合した分だけポケット口１が小さくなり、袋状になっている部分５でポケットＰに投入した収納物Ｂのコーナー部分を確実に覆うことができるので、当該収納物Ｂがポケット口１から落下するのをさらに防止することができる。
【００２７】
一方、図３では、図１に示す場合とは異なってポケット布ｐの下側においても、図１においてその上端縁部を一定高さ内側に折り返したのと同様に一定高さ内側に折り返して袋状６としてある。この袋状６とした状態で、ポケット布ｐの左右両端縁を、図１において符号２で示す場合と同様に、表布ｓに縫合する。
【００２８】
そして、ポケット布ｐの下側を内側に折り返して袋状６し、その下縁から一定高さ隔てた折り返し端縁を、図４において符号７で示すように、シャツＳの表布ｓに横方向に縫着してある。
この場合には、ポケット布ｐの下側を内側に折り返して袋状とした部分６は、表布ｓに縫合されていない。すなわち、袋状になっているポケットＰの裾部分はふらし（縫合されていない状態）となっている。
【００２９】
このようにした場合には、袋状になっているポケットＰの裾部分はふらし（縫合されていない状態）となっており、ポケットＰに投入した収納物Ｂの下部をふらしとなっている袋状部分６に納めることができるので、当該収納物Ｂがポケット口１から落下するのをより一層防止することができる。
【００３０】
なお、図３に示すポケット布ｐは図１に示すポケットＰの場合と底が異なっている。ただし、ポケット口１に相当するポケット布ｐの上端縁部を一定高さ内側に折り返した点では図１に示すポケットＰと共通しており、上側に向けてねじって起された部分３１は、図３(c)では右側に現れる。そして、このポケット布ｐを上側に向けてねじって起こされた部分３１が図１の左側に現れるようにシャツＳの表布ｓに縫合する。
【００３１】
図１に示す形式のポケットのように、ポケット口１を除いたポケット布ｐの他の３つの端縁部を衣類（シャツＳ）の表布ｓに縫合した最も一般的な形式のポケットに、本考案を適用できるほか、図３に示すように、ポケット布ｐの下側を内側に折り返して袋状とした部分６を有するポケットにも、本考案を適用できる。
【００３２】
また、図５に示すように、ポケット口１から投入した収納物Ｂを受け止める受底部８を有し、この受底部８に通じる取出口９を衣類(シャツＳ)の表布ｓとの間に設けたポケットにも本考案を適用できる。
この形式のポケットに本考案を適用した場合には、ポケット口１から投入した収納物Ｂを受底部８で受け止めることができ、この受底部８に通じる取出口９から手指を差し込むことにより、受底部８で受け止められている収納物Ｂを取出口９から極めて簡単に取り出すことができる。
【００３３】
図１には、１枚のポケット布ｐを用いたポケット口の閉止構造の一例を示すが、これとは異なる別のポケット口の閉止構造にも、本考案を適用できる。図６は、２枚のポケット布を用いたポケット口の閉止構造の一例を示す。同図(a)は外側に位置するポケット布ｐｏを、同図(b)は内側に位置するポケット布ｐｉをそれぞれ示す。この場合においては、図６(a)に示すように、外側に位置するポケット布ｐｏの上端縁部をポケット内方に折り返すとともに、折り返された部分１０をポケット口１の幅方向の途中で上側に向けてねじる。なお、ねじった点を、図１の場合と同様に符号ａで示す。
【００３４】
そして、図６(a)において符号１１で示すように、ねじって起された部分１０１をポケット口１の幅方向に一定幅だけシャツＳの表布ｓに縫合する。
このようにした場合には、シャツＳの表布ｓに縫合した分だけポケット口１が小さくなり、袋状になっている部分１２でポケットＰに投入した収納物Ｂのコーナー部分を確実に覆うことができるので、当該収納物Ｂがポケット口１から落下するのをさらに防止することができる。
【００３５】
一方、図６(b)に示すように、外側に位置するポケット布ｐｏの内側で向かい合うとともに、シャツＳの表布ｓに近い側に位置する内側のポケット布ｐｉの上端縁部を、外側に位置するポケット布ｐｏ上端縁部の折り返された側に、すなわちポケット内方に折り返し、この折り返された部分１３をポケット口１の幅方向の途中で上側に向けてねじる。
【００３６】
そして、図６(b)において符号１４で示すように、上側に向けてねじって起された部分１３１をポケット口１の幅方向に一定幅だけシャツＳの表布ｓに縫合する。
このようにした場合には、シャツＳの表布ｓに縫合した分だけポケット口１が小さくなり、袋状になっている部分１５でポケットＰに投入した収納物Ｂのコーナー部分を確実に覆うことができるので、当該収納物Ｂがポケット口１から落下するのをさらに防止することができる。
【００３７】
特に、外側と内側の２枚のポケット布ｐｏとｐｉの上縁部の折り返された部分１０，１３において、その一方においては、上側に向けてねじって起された部分１０１が図６(a)の右側に現れるように、もう一方においては、上側に向けてねじって起された部分１３１が図６(b)の左側に現れるようにすれば、ポケット口１の左右両側において、外側と内側の２枚のポケット布ｐｏとｐｉの上縁部の折り返された部分１０，１３と、ポケット口１の幅方向の途中の左側と右側とで反対方向の上側に向けてねじって起された部分１０１，１３１とで、ポケット口１を閉止することができる。したがって、ポケットＰに投入した収納物Ｂがポケット口１から落下するのをさらに防止することができる。
【００３８】
また、図８に、図１および図６に示すポケット口の閉止構造とはさらに異なる別のポケット口の閉止構造の一例を示す。同図(a)は外側に位置するポケット布を、同図(b)は内側に位置するポケット布をそれぞれ示す。この場合においても、外側に位置するポケット布ｐｏと内側に位置するポケット布ｐｉの２枚のポケット布の上端縁部を、ポケット内方にそれぞれ折り返すとともに、２枚の折り返された部分を同図(a)の左側と同図(b)の右側に示すように、ポケット口１の幅方向の途中の左側と右側とで反対方向の上側に向けてねじってある。
【００３９】
すなわち、外側と内側の２枚のポケット布ｐｏとｐｉの上端縁部の折り返された部分１６，１９において、その一方においては、上側に向けてねじって起された部分１６１が図８(a)の左側に現れるように、もう一方においては、上側に向けてねじって起された部分１９１が図８(b)の右側に現れるようにしてある。そして、図８(a)、(b)において符号１７で示すように、外側に位置するポケット布ｐｏの上側に向けてねじって起された部分１６１を、内側に位置するポケット布ｐｉの折り返された部分１９に重ね合わせ、その部分においてポケット口１の幅方向に一定幅だけ縫合する。また、図８(a)、(b)において符号２０で示すように、内側に位置するポケット布ｐｉの上側に向けてねじって起された部分１９１を、外側に位置するポケット布ｐｏの折り返された部分１６に重ね合わせ、その部分においてポケット口１の幅方向に一定幅だけ縫合する。
【００４０】
すると、ポケット口１の左右両側において、外側と内側の２枚のポケット布ｐｏとｐｉの上端縁部の折り返された部分１６，１９と、上側に向けてねじって起された部分１６１，１９１とでポケット口１を閉止することができる。したがって、ポケットＰに投入した収納物Ｂがポケット口１から落下するのを防止することができる。
また、同図(a)、(b)における符号１７，２０による縫合分だけポケット口１が小さくなり、袋状になっている部分１８，２１でポケットＰに投入した収納物Ｂのコーナー部分を確実に覆うことができるので、当該収納物Ｂがポケット口１から落下するのをさらに防止することができる。
【００４１】
なお、図８には表さないが、外側と内側の２枚のポケット布ｐｏとｐｉを用い、外側のポケット布ｐｏの下側を一定高さ裏側に〔衣類(シャツＳ)の表布ｓ側に〕折り返すことにより図５に示す受底部８を形成し、この受底部８に通じる取出口９を衣類(シャツＳ)の表布ｓとの間に設けた場合にあっては、内側のポケット布ｐｉの下端縁近くにおいて外側のポケット布ｐｏと内側のポケット布ｐｉとを幅方向に一定幅縫着しておけば、外側のポケット布ｐｏの下側を一定高さ裏側に〔衣類(シャツＳ)の表布ｓ側に〕折り返した部分が、内側のポケット布ｐｉの下端縁の内側に戻りやすいので、この部分で前記受底部８に通じる通路を確実に閉鎖することができるようになり、受底部８で受け止められた収納物Ｂが前記通路を経て取出口９から滑り落ちるのをより一層防止することができる。
【００４２】
図６、図８に示すように、ポケットＰが内外２枚のポケット布ｐｉ，ｐｏで形成されている場合には、少なくとも外側に位置するポケット布ｐｏにシャツＳの表布ｓと同じ生地を用いるのが好ましい。このようにした場合には、ポケットＰおよびシャツＳ全体の体裁が良くなる。
【００４３】
また、図６、図８に示すように、ポケットＰが内外２枚のポケット布ｐｉ，ｐｏで形成されている場合には、少なくとも外側に位置するポケット布ｐｏの方が内側に位置するポケット布ｐｉよりもポケットの底からの長さ（高さ）が大きくなるようにしておくことが好ましい。このようにした場合には、内側に位置するポケット布ｐｉの上端縁部がポケット口１から見えにくくなるので、体裁が良い。
【００４４】
一方、ここまでの説明では、本考案によるポケット口の閉止構造を、ポケット口１が上側にある場合について説明したが、この閉止構造をポケット口１が横向きの図１０のポケットの場合にも適用できる。すなわち、図１０に示すように、図１に示す場合と同様の１枚のポケット布ｐ’を用いてポケット口１が横向きとなるようにポケット布ｐ’をシャツＳの表布ｓに縫合し、この横向きのポケット口１において、図１に示す場合と同様の閉止構造を有するものとする。なお、図１０における各符号は、図１における符号をそのまま用いることとする。
また、図示はしないが、ジャケットやブルゾンのように斜めを向いている脇ポケットにも適用できる。
【００４５】
このようにした場合には、ポケット口１が横向きあるいは斜めを向いているから、ポケットＰに投入した収納物Ｂがポケット口１から滑り落ちるという不安が一切なく、安心してポケットＰに収納物Ｂを投入することができる。特に、ズボンやスラックスのようなボトムスのポケットに、あるいは、ジャケットやブルゾンのように斜めを向いている脇ポケットにこの考案を適用すると、上記効果はより顕著である。
【００４６】
また、図示はしないが、図６、図８に示すポケット口の閉止構造を、すなわち、２枚のポケット布ｐｏとｐｉを用いたポケット口の閉止構造を、ポケット口１が横向きの場合にも適用することができる。
【００４７】
以上説明したように、本考案の特徴とするところは、ポケット布端縁部をポケット内方に折り返すとともに、折り返された部分をポケット口の幅方向の途中でねじる点にあり、このようにねじることによってポケット口１から収納物Ｂを投入する場合はその部分が開いてねじられた部分から収納物Ｂがポケット内にスムーズに投入されるようにするとともに、収納物Ｂが通過するとポケット内方のねじられた部分に形成される袋状の部分で、ポケット内に投入された収納物Ｂを受け止めてポケット口から落下するのを防止することができるようにしたものである。
【００４８】
ここに示す例は本考案を実施するための形態の一例であって、本考案の実施に際して、各部の形状は図示した態様の場合のみに限定されるものではなく、本考案の要旨に沿って種々の設計変更が可能である。
【産業上の利用可能性】
【００４９】
本考案は通常のシャツのほか、上衣やブルゾン、ブラウスその他各種の衣類やズボン、スラックスのようなボトムスのポケットに、また、これらのものの様々な形態の内ポケットや外ポケットに広く適用することができる。
【符号の説明】
【００５０】
１…ポケット口、２…縫合、３…ポケット布の上端縁を内側に折り返した部分、３１…ねじって起された部分、４…縫合、６…ポケット布の下側を内側に折り返して袋状とした部分、７…縫合、８…受底部、９…取出口、１０…外側のポケット布の上端縁を内側に折り返した部分、１０１…ねじって起された部分、１１…縫合、１３…内側のポケット布の上端縁をポケット内方に折り返した部分、１３１…ねじって起された部分、１４…縫合、１６…外側のポケット布の上端縁を内側に折り返した部分、１６１…ねじって起された部分、１７…縫合、１９…内側のポケット布の上端縁をポケット内方に折り返した部分、１９１…ねじって起された部分、２０…縫合、ａ…反転させてねじった点、Ｓ…シャツ、ｓ…表布、Ｐ…ポケット、ｐ，ｐ’…ポケット布、ｐｏ…外側に位置するポケット布、ｐｉ…内側に位置するポケット布、Ｂ…ポケットに投入した収納物。
【図１】
0003186099.tif 000003
【図２】
0003186099.tif 000004
【図３】
0003186099.tif 000005
【図４】
0003186099.tif 000006
【図５】
0003186099.tif 000007
【図６】
0003186099.tif 000008
【図７】
0003186099.tif 000009
【図８】
0003186099.tif 000010
【図９】
0003186099.tif 000011
【図１０】
0003186099.tif 000012